(57)【特許請求の範囲】
【請求項１】
浴室の天井又は壁面に設置され、浴室に開放する暖房用空気流入口及び暖房用空気排出口と、浴室の外部と連通する排気口とを有する本体ケースと、
前記本体ケース内に、
前記本体ケース内に吸い込まれた空気を加熱する熱交換器と、
暖房運転時に、前記暖房用空気流入口から前記本体ケース内に浴室内の空気を流入させると共に、前記熱交換器で加熱された空気を前記暖房用空気排出口から浴室内に排出させる暖房用循環ファンと、
換気運転時に、少なくとも前記暖房用空気流入口から浴室内の空気を吸引させると共に前記排気口から外部に排気させる換気ファンと、
回転軸の両端にそれぞれ、前記暖房用循環ファンと前記換気ファンとが接続された両軸モータとを備え、
前記換気ファンとして、シロッコファンを有し、
前記シロッコファンの開放端側の空気吸込口を開閉自在に閉塞する吸込み防止ダンパが設けられ、
前記換気運転時には、前記換気ファンの回転駆動により、前記暖房用空気流入口から本体ケース内に吸引された浴室内の空気は、前記シロッコファンの空気吸込口に送り込まれた後、前記シロッコファンの吹出口から前記排気口に向けて吹き出され、
前記暖房運転時には、前記空気吸込口は前記吸込み防止ダンパによって閉塞されるようにした浴室暖房乾燥機。
【請求項２】
請求項１に記載の浴室暖房乾燥機において、
前記暖房用空気排出口には風向調節用のルーバが設けられていると共に、
前記換気運転時には、前記ルーバを開放させるようにした浴室暖房乾燥機。
【発明の詳細な説明】
【技術分野】
【０００１】
本発明は、浴室の暖房と換気を行なう浴室暖房乾燥機に関する。
【背景技術】
【０００２】
従来、浴室の天井または壁面に嵌め込まれて設置される本体ケース内に、浴室内の空気を循環加熱することにより浴室を暖房する浴室暖房機能と、浴室の空気を外部に排気することにより浴室を換気する換気機能とを備えた浴室暖房乾燥機が知られている（例えば、特許文献１）。
【０００３】
この種の浴室暖房乾燥機では、本体ケースの天井側の一面には、浴室内の空気を吸い込む暖房用空気流入口と、浴室内に空気を排出する暖房用空気排出口とが浴室に開放するように形成されてあり、循環モータの駆動によって回転する暖房用循環ファンによって、暖房用空気流入口から本体ケース内に取り込まれた空気は、本体ケース内に設けられた熱交換器で加熱され、暖房用空気排出口から浴室内に吹出される。
【０００４】
又、上記浴室暖房乾燥機には、本体ケースに連通するように外付けされた換気ケース内に、浴室内の空気を取り入れて、換気ダクトから外部に排出させる換気ファンが別途備えられている。つまり、換気ファンの作動に伴って、換気運転時に換気用空気吸引口として機能する暖房用空気流入口等から浴室内の空気が吸引され、換気ダクトを通過し、換気ケースに設けられた排気口から外部に排出される構成となっている。
【先行技術文献】
【特許文献】
【０００５】
【特許文献１】特開平９−２６４５５１号公報
【発明の概要】
【発明が解決しようとする課題】
【０００６】
ところで、一般に、上記換気ファンは、前述した循環モータとは別に設けられている換気モータの駆動によって回転させられ、換気ファンと換気モータとは、本体ケースとは別の換気ケース内に収納されているとともに、循環モータと換気モータの駆動は、それぞれ制御部によって別個に制御されている。
【０００７】
しかしながら、上記浴室暖房乾燥機では、暖房用循環ファンを作動させるための循環モータとは別に、換気ファンを作動させるための換気モータが必要であるから、高コストとなり、又、換気ファン及び換気モータを収納させるための換気ケースが、暖房用循環ファン及び循環モータが収納されている本体ケースに外付けされる構成であるから、器具全体が大型化しており、大きな配置スペースを用意しなければならないといった問題がある。
【０００８】
本発明は、上記事情に鑑みてなされたものであり、浴室暖房機能と換気機能とを具備させた浴室暖房乾燥機において、器具全体の小型化やコストダウンを図った浴室暖房乾燥機を提供することを課題とする。
【課題を解決するための手段】
【０００９】
（１）本発明は、浴室の天井又は壁面に設置され、浴室に開放する暖房用空気流入口及び暖房用空気排出口と、浴室の外部と連通する排気口とを有する本体ケースと、
前記本体ケース内に、
前記本体ケース内に吸い込まれた空気を加熱する熱交換器と、
暖房運転時に、前記暖房用空気流入口から前記本体ケース内に浴室内の空気を流入させると共に、前記熱交換器で加熱された空気を前記暖房用空気排出口から浴室内に排出させる暖房用循環ファンと、
換気運転時に、少なくとも前記暖房用空気流入口から浴室内の空気を吸引させると共に前記排気口から外部に排気させる換気ファンと、
回転軸の両端にそれぞれ、前記暖房用循環ファンと前記換気ファンとが接続された両軸モータとを備え、
前記換気ファンとして、シロッコファンを有し、
前記シロッコファンの開放端側の空気吸込口を開閉自在に閉塞する吸込み防止ダンパが設けられ、
前記換気運転時には、前記換気ファンの回転駆動により、前記暖房用空気流入口から本体ケース内に吸引された浴室内の空気は、前記シロッコファンの空気吸込口に送り込まれた後、前記シロッコファンの吹出口から前記排気口に向けて吹き出され、
前記暖房運転時には、前記空気吸込口は前記吸込み防止ダンパによって閉塞されるようにした浴室暖房乾燥機である。
【００１０】
上記浴室暖房乾燥機によれば、暖房用循環ファンと換気ファンとをそれぞれ１つの両軸モータの両端に設ける構成としたから、暖房用循環ファン用のモータと換気ファン用のモータとを個別に用意する必要がない。そして、上記浴室暖房乾燥機によれば、暖房用循環ファンと換気ファンと両軸モータは単一の本体ケース内に収納できるから、換気ケースを外付けしていた従来のものよりも、器具全体の大きさをコンパクトにすることができる。
上記浴室暖房乾燥機によれば、換気運転時には、前記シロッコファンの回転に伴って、浴室内の空気は、本体ケース内に吸込まれた後、シロッコファンの空気吸込口へ送り込まれると共に、シロッコファンの吹出口から排気口へ向って吹き出され、前記排気口から外部へ排気される。
一方、暖房運転時には、シロッコファンの空気吸込口が吸込み防止ダンパで閉塞される。これにより、暖房運転時に、暖房用循環ファンと共に換気ファンが回転しても、シロッコファンは無負荷状態で回転するから、浴室内の空気がシロッコファンの空気吸込口を通って、排気口から外部へ排気される換気機能は働かない。従って、暖房運転時の浴室内の温度の低下を防止することができる。
【００１１】
（２）上記浴室暖房乾燥機において、好ましくは、前記暖房用空気排出口には風向調節用のルーバが設けられていると共に、
前記換気運転時には、前記ルーバを開放させる。
【００１２】
上記浴室暖房乾燥機によれば、換気運転時には、換気ファンの作動によって、浴室内の空気が本体ケースに吸込まれる。そして、本体ケース内に吸込まれた空気は、浴室へ開放している暖房用空気排出口とは別に設けられている排気口から外部へ排気される。これを繰り返すことにより、浴室内の空気は換気されていく。
【００１３】
一方、上記換気運転を行うと、前記換気ファンと前記暖房用循環ファンとは、１つの両軸モータの回転軸の両端にそれぞれ設けられているから、換気ファンを回転駆動させると、暖房用循環ファンも同時に回転して、暖房用空気流入口から本体ケース内に取り込まれた浴室内の空気は、暖房用空気排出口から浴室内に排出しようとする。その結果、暖房用空気排出口に設けられているルーバが閉じられていると、暖房用空気排出口から排出されようとする空気がルーバに当たって風切音がするが、上記浴室暖房乾燥機によれば、換気運転時でも、前記ルーバを開放して、前記浴室と前記本体ケースとの間で空気を流通させるようにしているから、風切音を低減することができる。又、換気運転は通常、浴室の利用後に行われるものであるため、浴室内の湿度が高く、本体ケース内で結露が生じる場合があるが、上記浴室暖房乾燥機によれば、換気運転時でも暖房用循環ファンが回転して、本体ケース内を空気が循環するから、そのような結露を低減することができる。
【発明の効果】
【００１７】
以上のように、本発明による浴室暖房乾燥機によれば、暖房用循環ファンを駆動させるためのモータと、換気ファンを駆動させるためのモータを個別に使用する必要がなく、一つの両軸モータで２つのファンを回転駆動させるようにしたから、従来のものよりも低コストの浴室暖房乾燥機を提供することができる。
【００１８】
又、浴室の天井又は壁面に設置するのは、本体ケース一つでよいから、設置スペースを縮小できる上に、設置作業も容易となる。さらに、重量も軽くなるので、天井や壁面にかける負荷も小さくなる。
【００１９】
又、暖房運転時に、換気ファンとしてのシロッコファンの吸込口を吸込み防止ダンパで閉塞しておくことにより、温められた浴室内の空気が、暖房用空気流入口から本体ケース内に吸引されて排気口へ排気される無駄を防止することができ、確実に暖房機能を発揮させることができる。さらに、シロッコファンから空気の流れに伴う騒音も低減できる。
又、換気運転時には、浴室内の空気は、少なくとも暖房用空気流入口から本体ケース内を通って排気口へ流れる。このとき、暖房用空気排出口に設けられているルーバを開放しておけば、浴室内の空気がスムーズに循環することとなり、本体ケース内の換気も可能となる。これにより、換気運転時にルーバに空気が当たることによる騒音を低減できるだけでなく、本体ケース内の結露が防止でき、内部構成部品の腐食を防止することができる。
【図面の簡単な説明】
【００２１】
【図１】本発明の実施の形態に係る浴室暖房乾燥機の内部構造を示す概略平面図である。
【図２】本発明の実施の形態に係る浴室暖房乾燥機の暖房用循環ファンの構造を表す概略側面図である。
【図３】本発明の実施の形態に係る浴室暖房乾燥機の換気ファンの構造を表す概略側面図であり、吸込み防止ダンパが開いた状態を表している。
【図４】本発明の実施の形態の浴室暖房乾燥機の換気ファンの構造を表す概略側面図であり、吸込み防止ダンパを閉塞させた状態を表している。
【図５】本発明の実施の形態に係る浴室暖房乾燥機の暖房運転時の動作を表すフローチャートである。
【図６】本発明の実施の形態に係る浴室暖房乾燥機の換気運転時の動作を表すフローチャートである。
【発明を実施するための形態】
【００２２】
以下に、本発明の実施の形態について図面を参照しながら説明する。
本発明の実施の形態による浴室暖房乾燥機は、本体ケース(1)を浴室の天井(3)に設置させているもので、図１は、本体ケース(1)の内部構造を示した概略平面図である。
【００２３】
本体ケース(1)内には、熱交換器(11)と暖房用循環ファン(10)、さらには換気ファン(20)が収納されている。熱交換器(11)は、温水コイルからなり、屋外等に設置したガス給湯器や電気温水器等からなる外部熱源機(100)から導出された往路復路からなる温水循環配管(110)が接続されている。この外部熱源機(100)によって一定流量の高温水が温水循環配管(110)を介して熱交換器(11)に循環供給される。
【００２４】
暖房用循環ファン(10)の収納域における本体ケース(1)の底部には、図２に示すように、浴室(A)に連通する暖房用空気流入口(12)と暖房用空気排出口(13)とが開口しており、暖房用空気排出口(13)にはステッピングモータ（図示せず）により可動されるルーバ(14)が設けられている。このルーバ(14)によって本体ケース(1)から浴室(A)内に排出される温風の送風方向の変更が可能となっている。
【００２５】
暖房用循環ファン(10)は、ラインフローファンからなり、その回転駆動によって、浴室(A)内の空気が暖房用空気流入口(12)から本体ケース(1)内に吸い込まれると共に、熱交換器(11)により加熱され、暖房用空気排出口(13)から浴室(A)に温風を排出させる構成となっている。これを繰り返すことにより、浴室(A)内の空気は温められていく。
【００２６】
次に、換気ファン(20)について説明する。
本体ケース(1)には、図３に示すように、暖房用空気流入口(12)から吸引された浴室(A)内の空気を外部へ排気させる排気口(16)が形成されている。この排気口(16)には、自然ダンパ(17)が開閉自在に設けられており、換気ファン(20)としては、シロッコファンが採用されている。
尚、この実施の形態のものでは、前述の暖房用空気流入口(12)が、換気のために浴室(A)内の空気を吸引する換気用空気吸引口を兼ねる構成としているが、
暖房用空気流入口(12)とは別に、排気口(16)に連通する換気用空気吸引口を設けてもよい。
【００２７】
シロッコファンは、円周上に配列された複数の細長い羽根板によって、全体に円筒形状に構成されているもので、スクロールケーシング(21)内に回転自在に収納されている。シロッコファンの開放端が対応するスクロールケーシング(21)の開放部には、空気を集約増速させてシロッコファン内に供給させるためのベルマウス(22)が取り付けられている。
【００２８】
換気ファン(20)の回転駆動に伴って、浴室(A)内の空気が、暖房用空気流入口(12)から本体ケース(1)内に吸引されると共に、ベルマウス(22)を介して、スクロールケーシング(21)内に供給され、スクロールケーシング(21)の吹出口(23)から、排気口(16)に向けて吹き出される構成となっている。吹出口(23)からの空気の吹き出しによって、自然ダンパ(17)が、図３に示すように自然開放し、前記空気は排気口(16)から外部へ排気される。
【００２９】
尚、ベルマウス(22)の開放端には、ステッピングモータ(M2)の駆動によって開閉制御される吸込み防止ダンパ(24)が設けられている。これにより、暖房運転時には、吸込み防止ダンパ(24)はベルマウス(22)を閉塞するように回転し、本体ケース(1)内で暖められた空気の一部が排気口(16)から外へ逃げるのを防止できる。
【００３０】
上述した暖房用循環ファン(10)と換気ファン(20)とは、図１に示すように、両者の中央に配置した両軸モーター(M1)の回転軸(2)の両端にそれぞれ支持された構成となっている。これにより、両軸モーター(M1)の回転に伴って、暖房用循環ファン(10)と換気ファン(20)の両方が回転駆動させられる。
別個のモータを使用していた従来のものでは、風量を考慮して換気ファン(20)用のモータの方が暖房用循環ファン(10)用のモータよりも出力が大きいものが採用されていたが、本発明の実施の形態における両軸モータ(M1)の出力は、騒音等を考慮して暖房用循環ファン(10)に対応させているため、換気ファン(20)の回転数は従来のものよりも小さくなる。そこで、これを補うために、本実施の形態では、換気ファン(20)を構成するシロッコファンのファン径は暖房用循環ファン(10)の径よりも大きく設定されている。これにより従来のものと同等な出力（風量）を得ている。
【００３１】
そして、これら暖房用循環ファン(10)及び換気ファン(20)、さらには、両軸モーター(M1)やステッピングモータ(M2)は、制御部(101)によって制御され、暖房運転及び換気運転に関しては、浴室(A)内の壁面や台所等に設けられているリモコン操作部(102)によって操作可能となっている。
【００３２】
以下に、浴室(A)を暖房するときの動作と換気するときの動作を、図５及び図６のフローチャートに基づいて説明する。
【００３３】
まず、図５に示すものは、暖房運転時の動作フローであり、リモコン操作部(102)で浴室暖房運転ＯＮが選択されると（Ｓ１）、制御部(101)からの指令によって、ルーバ(14)が開いて（Ｓ２）、暖房用空気排出口(13)が開放し、続いて、吸込み防止ダンパ(24)が換気ファン(20)のベルマウス(22)を閉塞する（Ｓ３）。そして、両軸モータ(M1)がＯＮとなって、暖房用循環ファン(10)と共に、換気ファン(20)が回転駆動されると同時に、外部熱源機(100)に作動信号が出力され、外部熱源機(100)が駆動開始される（Ｓ４）。
【００３４】
これにより、熱交換器(11)に外部熱源機(100)から温水が循環供給され、暖房用循環ファン(10)の作動によって浴室(A)内の空気が暖房用空気流入口(12)から本体ケース(1)内に吸い込まれ、そして、この空気が熱交換器(11)にて熱交換されて温風となって暖房用空気排出口(13)から浴室(A)に吹き出されて浴室暖房が行われる。
【００３５】
又、浴室(A)内の温度が設定温度に達するか（Ｓ５）、又は、リモコン操作部(102)で暖房運転ＯＦＦが選択されると（Ｓ６）、制御部(101)からの指令によって、外部熱源機(100)に停止信号が出力されて外部熱源機(100)の駆動が停止すると共に、両軸モータ(M1)がＯＦＦとなり（Ｓ７）、続いて、吸込み防止ダンパ(24)が開放すると共に（Ｓ８）、ルーバ(14)が閉塞して（Ｓ９）、暖房運転が終了する。
【００３６】
上記ステップ４（Ｓ４）で、両軸モータ(M1)が回転駆動させられると、暖房用循環ファン(10)と同時に、換気ファン(20)も回転するが、それより前のステップ３（Ｓ３）で、換気ファン(20)を構成しているシロッコファンの空気吸込口を、吸込み防止ダンパ(24)によって閉塞させているから、換気ファン(20)が回転駆動しても、換気ファン(20)は空回りするだけである。よって、暖房運転中に浴室(A)内の空気は換気されず、効果的に浴室(A)内を暖房することができる。又、無負荷状態で回転するシロッコファンの回転音も小さい。
【００３７】
次に、換気運転について、図６の動作フローに基いて説明する。
リモコン操作部(102)で浴室換気運転ＯＮが選択されると（Ｓ１１）、制御部(101)からの指令によって、ルーバ(14)が開いて（Ｓ１２）、暖房用空気排出口(13)が開放し、両軸モータ(M1)がＯＮとなって、換気ファン(20)と共に、暖房用循環ファン(10)が回転駆動する（Ｓ１３）。このとき、吸込み防止ダンパ(24)は開放状態を維持している。
【００３８】
その後、換気に必要な所定の設定時間が経過するか（Ｓ１４）、又は、リモコン操作部(102)で換気運転ＯＦＦが選択されると（Ｓ１５）、制御部(101)からの指令によって、両軸モータ(M1)がＯＦＦとなり（Ｓ１６）、続いて、ルーバ(14)が閉塞して（Ｓ１７）、換気運転が終了する。
【００３９】
上記した換気運転時でも、ステップ１３（Ｓ３）における両軸モータ(M1)の駆動に伴って、換気ファン(20)と共に暖房用循環ファン(10)も回転駆動させられるため、浴室(A)内の空気は、暖房用空気流入口(12)から本体ケース(1)内に流入するが、それより前のステップ１２（Ｓ１２）にて、ルーバ(14)を開放させているため、換気ファン(20)と同時に回転する暖房用循環ファン(10)によって、暖房用空気流入口(12)から本体ケース(1)内に流入してきた空気を、ルーバ(14)の開放する暖房用空気排出口(13)からスムーズに排出させることができる。このように、予めルーバ(14)を開けておくことで、本体ケース(1)内に空気を循環させることができ、流入してきた空気が、閉塞状態にあるルーバ(14)に当たってバサバサという風切音を発生させてしまう不都合はない。
【００４０】
又、換気運転時には、浴室(A)内の換気と同時に、本体ケース(1)内の換気も可能となるから、本体ケース(1)内に結露が生じて、内部構成部品に錆が発生して、腐食する不都合が防止できる。
【００４１】
又、この実施の形態の浴室暖房乾燥機は、暖房用循環ファン(10)と換気ファン(20)とは、一つの両軸モータ(M1)によって回転駆動可能としたから、暖房用循環ファン(10)用のモータと換気ファン(20)用のモータをそれぞれ別個に設けていた従来のものに比べて、モータ１つ分、コストダウンを可能としている。又、暖房用循環ファン(10)と換気ファン(20)が共に、ひとつの本体ケース(1)内に収納される構成としたから、器具全体を小型化でき、浴室(A)の天井(3)や壁面に設置する作業も容易となる上に、天井(3)や壁面にかかる荷重も低減させることができる。
【００４２】
尚、上記実施の形態では、浴室(A)のみの暖房と換気を行なうことのできる浴室暖房乾燥機について説明したが、本体ケース(1)からダクトを延長させて、脱衣室の暖房及び換気も行うようにすることも可能であることは言うまでもない。
【符号の説明】
【００４３】
(1) ・・・・・・本体ケース
(10)・・・・・・暖房用循環ファン
(11)・・・・・・熱交換器
(12)・・・・・・暖房用空気流入口
(13)・・・・・・暖房用空気排出口
(20)・・・・・・換気ファン
(M1)・・・・・・両軸モータ
【図１】
0005484389.tif 000002
【図２】
0005484389.tif 000003
【図３】
0005484389.tif 000004
【図４】
0005484389.tif 000005
【図５】
0005484389.tif 000006
【図６】
0005484389.tif 000007